(57)【要約】      （修正有）【課題】板材組み付け部材が板材内部に収納されると板材外部が平らになり、異なる３方向からの作用力で外れることがなく、板材結合強度を高め、その他部品との組み合わせで構造力を倍増させ、小型家具に単独使用でき、大型キャビネットの組み立てには他の部品を組み合わせて使用できる、収納式板材組み付けユニットを提供する。【解決手段】収納式板材組み付けユニットは締結雌部と回動締結雄部を含み、回動締結雄部は締結雄部ベース孔５を設けた回動締結雄部ベース２と締結雄部ベース孔内に配置された回動締結雄素子４を備え、締結雌部中には回動締結雄素子の前端である締結雄素子頭部７に合致する組み付け孔を有し、回動締結雄部ベースの側面には締結雄部ベース孔と連通する締結雄素子頭部孔を設け、回動締結雄部ベースには締結雄部ベース孔と連通する引き込み溝を設け、回動締結雄素子が引き込まれた状態のとき回動締結雄素子の引き手部分が引き込み溝内に引き込まれる。【選択図】図１
0003188917.tif 000002
【実用新案登録請求の範囲】
【請求項１】
組み付けたい両板材上にそれぞれ固定され、締結して前記板材同士を合わせて固定するための締結雌部と回動締結雄部を含み、
前記回動締結雄部は回動締結雄部ベースと回動締結雄素子を備え、前記回動締結雄部ベース内には締結雄部ベース孔を設け、前記回動締結雄素子は前記締結雄部ベース孔内に配置され、前記回動締結雄素子の前端は締結雄素子頭部であり、
前記締結雌部中には前記締結雄素子頭部に合致する組み付け孔を有し、前記締結雄素子頭部を前記組み付け孔内に挿入して前記締結雌部と前記回動締結雄部を合わせて固定することを特徴とする、
収納式板材組み付けユニット。
【請求項２】
前記回動締結雄部ベースの側面には締結雄素子頭部孔を設け、前記締結雄素子頭部孔と前記締結雄部ベース孔は連通しており、前記締結雄素子頭部は前記締結雄素子頭部孔から伸出して前記締結雌部と連結し、前記回動締結雄部ベース上には引き込み溝をさらに設け、前記引き込み溝と前記締結雄部ベース孔は連通しており、前記回動締結雄素子が引き込まれた状態になるときは、前記回動締結雄素子の引き手部分が前記引き込み溝内に引き込まれ、前記締結雄素子頭部は前記締結雄素子頭部孔内に収まる、請求項１に記載の収納式板材組み付けユニット。
【請求項３】
前記締結雌部の外表面にパッキン歯形部を設けた、請求項１に記載の収納式板材組み付けユニット。
【請求項４】
前記締結雌部の外表面にはさらに、外向きに突出した位置決め凸部を少なくとも１つ設けた、請求項３に記載の収納式板材組み付けユニット。
【考案の詳細な説明】
【技術分野】
【０００１】
本考案は板材製品の組み立て付属品技術分野に関するものであって、主に、家具組み立てに応用される締結部材構造に関するものである。
【背景技術】
【０００２】
従来の家具の基本的な付属品は、天板、底板、両側の側板、背面の背板、脚部等を含み、このような家具は引き出しを内部に配置する以外は、一般的に、ネジボルト、釘または接着等の従来手段により固定される。
【０００３】
このような製品は工場からの出荷時にはすでに組み立て済みであったり、売り場で組み立てられる。消費者が購入するのは組み立て済みの完成品であり、運搬時には製品を丸ごと運搬する。
つまり、現在の家具の生産販売においては、机や棚等は基本的に完成品単位で取り扱われるため、運送コストが高い、不便である、多くの労働力を費やす、上下階を運搬するのが難しい、といった問題が発生する。特に引越し時にこれらの傾向が強く、損傷すると修理しにくく、通常は全体を廃棄してしまう。
【０００４】
このような問題を解決するために、組み立てるのが簡単な各種締結部材が市場に登場しており、２枚の板を垂直に組み付けるときは、回動式締結部材、スライド式締結部材、端面締結部材等の組み付け部材が使用されている。
しかし、これらの組み付け部材の中には、締結部材の雄部分が板材表面に突出し、締結部材雄部が運搬や積み降ろしの際に折れたり、家具の板材表面を傷つけたりすることから、保護的な梱包をする以外に、購入者が自分で組み立てる方法に変わってきた。
【０００５】
回動式締結部材の使用時には、その組み付け頭部（締結雄素子頭部）が突出するため、組み付け空間が制限されない場合のみ使用でき、端面締結部材は、組み付けの空間的制限がある場合でも使用できるが、組み付ける材料の上端か下端の端面だけにしか使用できない。
物品が大きい場合は、結合性能に影響し、組み付ける物品の上端であれば、端面に部品が露出し、美観に影響する。スライド式締結部材と端面締結部材は、スライド式の結合であるため、第三方向の力が欠けており、反対方向のスライドを効果的に防止できず、緩んではずれるなど、安全性に問題がある。
【０００６】
上述の各組み付け締結部材は、いずれの設計においても次の問題を抱えている。それは、組み立て順序に関し、購入者が製品をよく理解していなかったり注意不足だったりすると、ある段階で組み立てられないことに気づき、組み立て済みの一部または全部をばらす必要が生じ、無駄な時間を費やしたり家具の板材を傷つけたりすることがある点である。
【考案の概要】
【考案が解決しようとする課題】
【０００７】
本考案は、組み立て時に材料構造の組み付け順序が制限されず、各部位の板材を正しく配置し、締結雄素子頭部を板材から押し出して締結雌部と結合させるだけで、組み付けが容易に完成し、丈夫な取り付け構造であって、使用に便利であり、使用が制限されない改良型回動締結部材を提供する。
【課題を解決するための手段】
【０００８】
上述の技術的問題を解決するため、本考案が提案する改良型の回動締結部材に採用される技術は次のとおりである。
本考案の回動締結部材は、組み付けたい両板材上にそれぞれ固定され、締結して板材同士を合わせて固定するための締結雌部と回動締結雄部を含む。回動締結雄部は回動締結雄部ベースと回動締結雄素子を備え、回動締結雄部ベース内には締結雄部ベース孔を設け、回動締結雄素子は締結雄部ベース孔内に配置され、回動締結雄素子の前端は締結雄素子頭部である。締結雌部中には締結雄素子頭部に合致する組み付け孔を有し、締結雄素子頭部を組み付け孔内に挿入して締結雌部と回動締結雄部を合わせて固定する。
【０００９】
前記回動締結雄部ベースの側面には締結雄素子頭部孔を設け、締結雄素子頭部孔と締結雄部ベース孔は連通しており、締結雄素子頭部は締結雄素子頭部孔から伸出して締結雌部と連結しており、回動締結雄部ベース上には引き込み溝をさらに設け、引き込み溝と締結雄部ベース孔は連通しており、回動締結雄素子が引き込まれた状態になるときは、回動締結雄素子の引き手部分が前記引き込み溝内に引き込まれ、締結雄素子頭部は締結雄素子頭部孔内に収まる。
【００１０】
前記締結雌部の外表面にはパッキン歯形部を設ける。
【００１１】
前記締結雌部の外表面にはさらに、外向きに突出した位置決め凸部を少なくとも１つ設ける。
【考案の効果】
【００１２】
本考案によれば、引き込み溝の設計により、締結雄素子頭部が締結雄素子頭部孔に引っ込むので、使用空間が制限されず、組み付けた後異なる３方向からの作用力により、緩んではずれることがなく、その他の部品と組み合わせて使用することで構造力も強化できる。また、受ける力や体積が小さい家具組み立て部材に単独で使用でき、受ける力が大きいキャビネットの組み立てにはスライド式締結部材、端面締結部材またはその他の部品を組み合わせて使用できる。
【図面の簡単な説明】
【００１３】
【図１】本考案の回動締結雄部の構造図。
【図２】本考案の回動締結雄部ベースの構造図。
【図３】本考案の締結雌部の構造図。
【図４】本考案の使用状態の構造図。
【考案を実施するための形態】
【００１４】
（実施例）
本考案実施例について図１、図２、図３および図４を参照されたい。
収納式板材組み付けユニットは、締結雌部と回動締結雄部１を含み、締結雌部と回動締結雄部１は組み付けたい両板材上にそれぞれ固定され、回動締結雄部１と締結雌部を締結して板材３同士を合わせて固定する。前記回動締結雄部１は回動締結雄部ベース２と回動締結雄素子４を備え、回動締結雄部ベース２内には締結雄部ベース孔５を設け、回動締結雄素子４は締結雄部ベース孔５内に配置され、回動締結雄素子４の前端は締結雄素子頭部７である。前記締結雌部中には締結雄素子頭部７に合致する組み付け孔９を有し、締結雄素子頭部７を組み付け孔９内に挿入して締結雌部と回動締結雄部１を合わせて固定する。
【００１５】
前記回動締結雄部ベース２の側面には締結雄素子頭部孔８を設け、締結雄素子頭部孔８と締結雄部ベース孔５は連通しており、締結雄素子頭部７は締結雄素子頭部孔８から伸出して締結雌部と連結する。回動締結雄部ベース２上には引き込み溝６をさらに設け、引き込み溝６と締結雄部ベース孔５は連通しており、回動締結雄素子４が引き込まれた状態になるときは、回動締結雄素子４の引き手部分が引き込み溝６内に引き込まれ、締結雄素子頭部７は締結雄素子頭部孔８内に収まる。
【００１６】
前記締結雌部の外表面にはパッキン歯形部１０を設け、その外表面にはさらに、外向きに突出した位置決め凸部１１を少なくとも１つ設ける。
【００１７】
本考案は、過去に公開または出願されたものと類似することなく、新規性を有し、産業利用性の価値を実質的に高める効果を有しているので、法にもとづきここに出願する。ただし、本明細書に記載されているのは好ましい実施例に過ぎず、これにより本考案の実用新案登録請求の範囲が限定されることはない。本考案の原理や技術にもとづいた構成要素により加えられた潤色や変更はすべて、本考案の実用新案登録請求の範囲内に含まれる。
【符号の説明】
【００１８】
１    回動締結雄部                        
２    回動締結雄部ベース
３    板材    
４    回動締結雄素子
５    締結雄部ベース孔  
６    引き込み溝
７    締結雄素子頭部                        
８    締結雄素子頭部孔
９    組み付け孔  
１０  パッキン歯形部
１１  位置決め凸部
【図１】
0003188917.tif 000003
【図２】
0003188917.tif 000004
【図３】
0003188917.tif 000005
【図４】
0003188917.tif 000006